(57)【要約】【課題】物や人手にフィルタが触れることを防ぐフィルタ付き光学デバイスを提供する。【解決手段】光ファイバ２の被覆部３を載せるための平面部４に、その平面部４から盛り上がった台部５が形成され、その台部５に上記光ファイバ２の被覆除去部６を挟持させるためのＶ溝７が形成されたＶ溝板８と、上記Ｖ溝７に挟持された上記被覆除去部６に載せるための上板９と、該上板９及び上記Ｖ溝板８の所定の位置に形成されたフィルタ用溝１０に挿入されたフィルタ１１とを備えたフィルタ付き光学デバイス１において、上記フィルタ１１は、上記上板９よりなる保護壁１２によって周囲を囲まれ、かつ、上記保護壁１２は、上記フィルタ１１より高く起立している。【選択図】図１
2008175974.tif 000002
【特許請求の範囲】
【請求項１】
光ファイバの被覆部を載せるための平面部に、その平面部から盛り上がった台部が形成され、その台部に上記光ファイバの被覆除去部を挟持させるためのＶ溝が形成されたＶ溝板と、上記Ｖ溝に挟持された上記被覆除去部に載せるための上板と、該上板及び上記Ｖ溝板の所定の位置に形成されたフィルタ用溝に挿入されたフィルタとを備えたフィルタ付き光学デバイスにおいて、上記フィルタは、上記上板よりなる保護壁によって周囲を囲まれ、かつ、上記保護壁は、上記フィルタより高く起立していることを特徴とするフィルタ付き光学デバイス。
【請求項２】
上記保護壁内部に樹脂からなる充填材を注入したことを特徴とする請求項１記載のフィルタ付き光学デバイス。
【請求項３】
上記Ｖ溝板に上記Ｖ溝を複数本平行に形成したことを特徴とする請求項１又は２記載のフィルタ付き光学デバイス。
【請求項４】
上記Ｖ溝板を樹脂で形成したことを特徴とする請求項１〜３いずれか記載のフィルタ付き光学デバイス。
【発明の詳細な説明】
【技術分野】
【０００１】
本発明は、物や人手にフィルタが触れることを防ぐフィルタ付き光学デバイスに関する。
【背景技術】
【０００２】
光ファイバ伝送路中に所望の光波長帯の光信号のみを透過あるいは遮断するフィルタを設けたいときに、フィルタ付き光学デバイスを用いることがある。
【０００３】
図３に示されるように、従来のフィルタ付き光学デバイス３１は、光ファイバ２の被覆部３を載せるための平面部４に、その平面部４から盛り上がった台部５が形成され、その台部５に上記光ファイバ２の被覆除去部６を挟持させるためのＶ溝７が形成されたＶ溝板８と、上記Ｖ溝７に挟持された上記被覆除去部６に載せるための上板３２と、該上板３２及びＶ溝板８の所定の位置に形成されたフィルタ用溝１０に挿入されたフィルタ１１とを備える。
【０００４】
【特許文献１】特開２００４−１０２１７２号公報
【発明の開示】
【発明が解決しようとする課題】
【０００５】
図３に示されるように、従来のフィルタ付き光学デバイス３１は、フィルタ１１が上板３２の上に突き出している。上板３２の上では、フィルタ１１の周囲にフィルタ１１より上に突き出しているものがないので、フィルタ付き光学デバイス３１を取り扱うときに、物や人手にフィルタ１１が触れてしまい、フィルタ１１が壊れてしまうことがある。欠けやひびなどのように破損の程度が小さくても、一度、欠けやひびが生じると、その後、時間が経過すると破損の程度が大きくなることがある。また、繰り返し物や人手にフィルタ１１が触れると、破損の程度が大きくなる。フィルタ１１の破損が光ファイバ２間の部分にまで達すると、光伝送に支障が生じる。したがって、破損の原因である物や人手にフィルタ１１が触れることを防ぐことが望まれる。
【０００６】
フィルタ１１を接触から保護するために、フィルタ１１自体の高さを低くすることが考えられるが、現在最も低いフィルタ１１でも高さが５００μｍあり、これよりも低くすると、フィルタ１１を取り扱う作業が困難になる。従って、フィルタ１１の高さを低くするという方法は不可である。
【０００７】
一方、上板３２の高さを高くし、フィルタ用溝１０を深くすることによって、フィルタ１１全体をフィルタ用溝１０に収容することが考えられるが、フィルタ用溝１０はフィルタ１１の厚み程度の幅の狭い溝であり、このような薄い溝を深く加工することは困難である。なぜならば、溝を深く彫るにはブレードの刃が大きくなって、ぶれが大きくなり、溝が真っ直ぐに彫れない。また、深く彫っていくと、抵抗が大きくなってブレードが破損しやすくなる。従って、上板３２の高さを高くし、フィルタ用溝１０を深くするという方法は不可である。
【０００８】
また、従来のフィルタ付き光学デバイス３１は、Ｖ溝板８がガラス材で形成されており、ガラス材で形成したＶ溝板８は高価であるため、フィルタ付き光学デバイス３１のコストが高い。
【０００９】
そこで、本発明の目的は、上記課題を解決し、物や人手にフィルタが触れることを防ぐフィルタ付き光学デバイスを提供することにある。
【課題を解決するための手段】
【００１０】
上記目的を達成するために本発明は、光ファイバの被覆部を載せるための平面部に、その平面部から盛り上がった台部が形成され、その台部に上記光ファイバの被覆除去部を挟持させるためのＶ溝が形成されたＶ溝板と、上記Ｖ溝に挟持された上記被覆除去部に載せるための上板と、該上板及び上記Ｖ溝板の所定の位置に形成されたフィルタ用溝に挿入されたフィルタとを備えたフィルタ付き光学デバイスにおいて、上記フィルタは、上記上板よりなる保護壁によって周囲を囲まれ、かつ、上記保護壁は、上記フィルタより高く起立しているものである。
【００１１】
上記保護壁内部に樹脂からなる充填材を注入してもよい。
【００１２】
上記Ｖ溝板に上記Ｖ溝を複数本平行に形成してもよい。
【００１３】
上記Ｖ溝板を樹脂で形成してもよい。
【発明の効果】
【００１４】
本発明は次の如き優れた効果を発揮する。
【００１５】
（１）物や人手にフィルタが触れることを防ぐことができる。
【発明を実施するための最良の形態】
【００１６】
以下、本発明の一実施形態を添付図面に基づいて詳述する。
【００１７】
図１（ａ）〜図１（ｃ）及び図２に示されるように、本発明に係るフィルタ付き光学デバイス１は、光ファイバ２の被覆部３を載せるための平面部４に、その平面部４から盛り上がった台部５が形成され、その台部５に上記光ファイバ２の被覆除去部６を挟持させるためのＶ溝７が形成されたＶ溝板８と、上記Ｖ溝７に挟持された上記被覆除去部６に載せるための上板９と、該上板９及び上記Ｖ溝板８の所定の位置に形成されたフィルタ用溝１０に挿入されたフィルタ１１とを備えたフィルタ付き光学デバイス１において、上記フィルタ１１は、上記上板９よりなる保護壁１２によって周囲を囲まれ、かつ、上記保護壁１２は、上記フィルタ１１より高く起立しているものである。
【００１８】
いま、フィルタ１１がないものとして光ファイバ２に直交する断面を見ると、図１（ａ）のように、台部５に形成されたＶ溝７に光ファイバ２の被覆除去部６が載せられることにより、Ｖ溝７の左右の傾斜壁に被覆除去部６の外周が接している。その被覆除去部６及びＶ溝７を覆うように上板９が設けられている。上板９は、台部５の上面と被覆除去部６に接している。
【００１９】
図１（ｂ）は、図１（ａ）に示したＡ−Ａ線、つまり光ファイバ２の中心で切った断面であり、図１（ｃ）はＢ−Ｂ線、つまり光ファイバ２の外で切った断面である。
【００２０】
Ｖ溝板８は両端にそれぞれ平面部４を有し、両平面部４，４の中間が盛り上がって台部５になっている。光ファイバ２は両平面部４，４に接する部分がいずれも被覆を有する被覆部３，３となっており、両被覆部３，３の途中が被覆を除去されて被覆除去部６となっている。その被覆除去部６がＶ溝７に挟持される。
【００２１】
図２のＶ溝板８には、まだ、フィルタ用溝１０は形成されておらず、仮想的に記入してある予定線１４に沿ってダイシングすることにより、フィルタ用溝１０を形成することになる。
【００２２】
図１のように同じ１本の伝送路となる光ファイバ２は１本でもよいが、複数本の伝送路となる複数本の光ファイバ２が平行に並んでいてもよい。図２では、Ｖ溝７が複数本形成されたものを描いた。光ファイバ２は省略して１本しか描いてないが、Ｖ溝７と同じ本数まで任意に用いることができる。これに伴い、フィルタ１１は全光ファイバ２を横切るだけの長さを有するものを用い、上板９の大きさもこれに準じる。
【００２３】
上板９は、従来の一枚板状ではなく、直方体の上面に下に落ち込んだ凹部１３を形成したものである。凹部１３の形成は切削によって行う。この凹部１３は、この凹部１３の底部からＶ溝板８までフィルタ用溝１０をダイシング形成するときの刃の進入スペースとなるものである。また、凹部１３を形成することで、その凹部１３の周囲がフィルタ１１の保護壁１２となる。
【００２４】
図１、図２のフィルタ付き光学デバイスの光ファイバへの組付け方法を説明する。
【００２５】
まず、Ｖ溝板８に光ファイバ２を載せる。このとき、同じ１本の伝送路となる光ファイバ２が１本であると、その光ファイバ２の途中のみ被覆を除去するのは難しい。そこで、２本の光ファイバ２ａ，２ｂを繋いで１本の伝送路を形成するものとし、これら２本の光ファイバ２ａ，２ｂのそれぞれの端部において被覆を除去する。その被覆除去部同士を光ファイバ融着機などを用いて融着させると、１本の光ファイバ２の途中に被覆除去部６が形成されたのと同じになる。
【００２６】
この光ファイバ２の被覆除去部６をＶ溝板８のＶ溝７に嵌めると、被覆部３が平面部４に載る。このときに、光ファイバ２，２を平面部４に接着剤で固定してもよい。そして、被覆除去部６に上板９を載せる。上板９は台部５の上面に貼り付けるなどしてＶ溝板８に固定する。
【００２７】
次に、予定線１４に沿ってダイシングを行い、凹部１３の底部からＶ溝板８の台部５より所定の深さまでに至るフィルタ用溝１０を形成する。フィルタ用溝１０の幅は、２０〜３０μｍ程度が好ましい。フィルタ用溝１０の幅が３０μｍを超えるとフィルタ用溝部で伝搬光（信号光）の放射損失が増加するので好ましくない。また、フィルタ１１は厚さが１５μｍ程度あるため、フィルタ用溝１０の幅が２０μｍより狭くなると、フィルタ１１をフィルタ用溝１０に挿入するのが困難になる。フィルタ１１は厚さが１０μｍ程度であればフィルタ用溝１０の幅は１５μｍ程度でもよい。一方、フィルタ用溝１０の深さはＶ溝７の上面から２００〜３００μｍ程度である。少なくとも光ファイバが完全にダイシングされる深さであればよい。そのフィルタ用溝１０にフィルタ１１を挿入し、接着剤で固定する。このときに、凹部１３に樹脂などの充填材を注入することにより、フィルタ１１が固定されると共に、水分に対しても保護され、信頼性が高まる。
【００２８】
さて、このようにして光ファイバ２に組付けられたフィルタ付き光学デバイス１は、保護壁１２がフィルタ１１の周囲を囲み、かつフィルタ１１より高く起立している。このため、フィルタ付き光学デバイス１を取り扱うときに、物や人手にフィルタ１１が触れることを防ぐことができる。
【００２９】
本発明では、Ｖ溝板８を樹脂で形成する。これにより、Ｖ溝板８が安価になり、フィルタ付き光学デバイス１のコストが低減する。
【図面の簡単な説明】
【００３０】
【図１】本発明の一実施形態を示すフィルタ付き光学デバイスの、（ａ）は光ファイバに直交する断面図、（ｂ）は光ファイバの中心軸に沿ったＡ−Ａ断面図、（ｃ）は光ファイバの外で光ファイバに平行なＢ−Ｂ断面図である。
【図２】本発明の一実施形態を示すフィルタ付き光学デバイスの斜視図である。
【図３】従来のフィルタ付き光学デバイスの断面図である。
【符号の説明】
【００３１】
１  フィルタ付き光学デバイス
２  光ファイバ
３  被覆部
４  平面部
５  台部
６  被覆除去部
７  Ｖ溝
８  Ｖ溝板
９  上板
１０  フィルタ用溝
１１  フィルタ
１２  保護壁
１３  凹部
１４  予定線
１５  樹脂
【図１】
2008175974.tif 000003
【図２】
2008175974.tif 000004
【図３】
2008175974.tif 000005